(57)【要約】【課題】  波長が異なる３つのレーザー光によって異なる規格の光ディスクに記録されている信号の読み出し動作を行うことが出来る光ピックアップ装置を提供する。【解決手段】  第１レーザー光を第１光ディスクに導く往路の光学倍率及び該第１光ディスクから反射される戻り光を光検出器１６に導く復路の光学倍率を第１パワーレンズ１７及び第２パワーレンズ１８にて設定し、第２レーザー光及び第３レーザー光を第２光ディスク及び第３光ディスクに導く往路の光学倍率を前記第１パワーレンズ１７にて設定するとともに第２光ディスク及び第３光ディスクから反射される戻り光を光検出器１６に導く復路の光学倍率を第１パワーレンズ１７及び第２パワーレンズ１８にて設定する。【選択図】  図１
2012048786.tif 000002
【特許請求の範囲】
【請求項１】
光ディスクの表面から信号記録層までの距離が短い第１光ディスクに記録されている信号の読み出し動作を行う第１波長のレーザー光を放射するレーザーダイオード、光ディスクの表面から信号記録層までの距離が前記第１光ディスクより長い第２光ディスクに記録されている信号の読み出し動作を行う第２波長のレーザー光及び光ディスクの表面から信号記録層までの距離が前記第２光ディスクより長い第３光ディスクに記録されている信号の読み出し動作を行う第３波長のレーザー光の２つのレーザー光を放射する２波長レーザーダイオードが組み込まれた光ピックアップ装置において、前記レーザーダイオードから放射される第１レーザー光を対物レンズ方向へ導くとともに前記第１光ディスクの信号記録層、第２光ディスクの信号記録層及び第３光ディスクの信号記録層から反射される第１レーザー光、第２レーザー光及び第３レーザー光を光検出器方向へ導く第１偏光部材と、該第１偏光部材と対物レンズとの間に設けられているとともに前記２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記第１偏光部材方向へ導く第２偏光部材と、該第２偏光部材と対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、前記第２偏光部材と対物レンズとの間に設けられているとともにレーザー光の透過角度を調整変更する第１パワーレンズと、前記第１偏光部材と第２偏光部材との間に設けられているとともにレーザー光の透過角度を調整変更する第２パワーレンズとより成り、第１レーザー光を第１光ディスクに導く往路の光学倍率及び該第１光ディスクから反射される戻り光を光検出器に導く復路の光学倍率を前記第１パワーレンズ及び第２パワーレンズにて設定し、第２レーザー光及び第３レーザー光を第２光ディスク及び第３光ディスクに導く往路の光学倍率を前記第１パワーレンズにて設定するとともに第２光ディスク及び第３光ディスクから反射される戻り光を光検出器に導く復路の光学倍率を第１パワーレンズ及び第２パワーレンズにて設定するようにしたことを特徴とする光ピックアップ装置。
【請求項２】
第１偏光部材としてハーフミラーを使用し、第２偏光部材として偏光ビームスプリッタを使用したことを特徴とする請求項１に記載の光ピックアップ装置。
【請求項３】
第１偏光部材として偏光ビームスプリッタを使用したことを特徴とする請求項２に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光
及び第３レーザー光を各光ディスクの信号記録層に集光させる第２対物レンズが組み込まれた光ピックアップ装置が一般に採用されている(特許文献１参照。)。
【先行技術文献】
【特許文献】
【００１０】
【特許文献１】特開２０１０−６１７８１号公報
【発明の概要】
【発明が解決しようとする課題】
【００１１】
１つの波長のレーザー光を放射するレーザーダイオード、２つの波長のレーザー光を放射する２波長レーザーダイオード、そして２つの対物レンズによって規格の異なる３つの光ディスクに記録されている信号の読み出し動作を行うように構成された光ピックアップ装置において、各レーザー光毎に光路を設けた場合には多くの光学部品を必要とするため高価になるだけでなく、小型化することが出来ないという問題がある。
【００１２】
斯かる問題を解決する方法として第１レーザー光、第２レーザー光及び第３レーザー光の光路を共通化することが行われている。斯かる構成の従来の光ピックアップ装置について図２及び図３を参照して説明する。
【００１３】
図３において、１は例えば波長が４０５ｎｍの青紫色光である第１レーザー光を生成放射するレーザーダイオード、２は前記レーザーダイオード１から放射される第１レーザー光が入射される第１回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１４】
３は例えば波長が６５５ｎｍの赤色光である第２レーザー光を生成放射する第１レーザー素子及び７８５ｎｍの赤外色光である第３レーザー光を生成放射する第２レーザー素子が同一のケース内に収納されている２波長レーザーダイオードである。
【００１５】
４は前記２波長レーザーダイオード３に組み込まれている第１レーザー素子から放射される第２レーザー光及び第２レーザー素子から放射される第３レーザー光が入射される第２回折格子であり、レーザー光を０次光であるメインビーム、＋１次光及び−１次光である２つのサブビームに分離する回折格子部４ａと入射されるレーザー光をＳ方向の直線偏光光に変換する１／２波長板４ｂとより構成されている。
【００１６】
５は前記２波長レーザーダイオード３から放射される第２レーザー光及び第３レーザー光が前記第２回折格子４を通して入射される位置に設けられているダイバージェンスレンズであり、入射される発散光であるレーザー光の発散角度を調整する作用を成すものである。
【００１７】
６は前記第１回折格子２を透過して入射される第１レーザー光のＳ偏光光を反射するとともに後述する光路を通して光ディスクから反射されてくる第１レーザー光、第２レーザー光及び第３レーザー光の戻り光であるＰ偏光光を透過するハーフミラーである。７は前記第２回折格子４及びダイバージェンスレンズ５を通して入射される第２レーザー光及び第３レーザー光のＳ偏光光を反射するとともに前記ハーフミラー６にて反射されて入射される第１レーザー光を透過させ、且つ光ディスクから反射されてくる第１レーザー光、第２レーザー光及び第３レーザー光の戻り光であるＰ偏光光を透過させる偏光ビームスプリッタである。
【００１８】
斯かる構成の偏光ビームスプリッタ７において、前記第２回折格子４及びダイバージェ
ンスレンズ５を通して入射される第２レーザー光及び第３レーザー光のＳ偏光光の一部を透過させるとともにハーフミラー６から反射されて入射される第１レーザー光のＳ偏光光の一部を反射させるように構成されている。８は前記偏光ビームスプリッタ７にて反射される第１レーザー光、該偏光ビームスプリッタ７を透過する第２レーザー光及び第３レーザー光が照射される位置に設けられているフロントモニターダイオードであり、各レーザー光の出力に応じた検出信号を出力するように構成されている。即ち、前記フロントモニターダイオード８から得られる検出信号を利用することによってレーザー出力を所望のレーザー出力になるように制御することが出来る。
【００１９】
９は前記偏光ビームスプリッタ７を透過した第１レーザー光、該偏光ビームスプリッタ７にて反射された第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００２０】
１０は前記１／４波長板９を透過したレーザー光が入射されるとともに入射されるレーザー光を平行光に変換するコリメートレンズであり、該コリメートレンズ１０の光軸方向への変位動作によって光ディスクの保護層の厚さに基づいて生じる球面収差を補正するように構成されている。
【００２１】
１１は第１レーザー光を第１光ディスクＤ１(図２参照)に設けられている信号記録層Ｌ１に集光する第１対物レンズ、１２は第２レーザー光を第２光ディスクＤ２に設けられている信号記録層Ｌ２に集光させるとともに第３レーザー光を第３光ディスクＤ３に設けられている信号記録層Ｌ３に集光させる第２対物レンズである。斯かる構成において、第１対物レンズ１１と第２対物レンズ１２とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２２】
前記コリメートレンズ１０を透過した第１レーザー光、第２レーザー光及び第３レーザー光は、図２に示す光学系によって第１対物レンズ１１及び第２対物レンズ１２に導かれるように構成されている。図２において、１３は波長選択性素子であり、第１レーザー光を透過させるとともに第２レーザー光及び第３レーザー光を第２対物レンズ１２方向へ反射させるように構成されている。１４は前記波長選択性素子１３を透過した第１レーザー光を第１対物レンズ１１方向へ反射させる立ち上げミラーである。斯かる構成は特許文献１に記載されている技術と同一である。
【００２３】
斯かる構成において、コリメートレンズ１０を透過した第１レーザー光は、前記波長選択性素子１３を透過するとともに立ち上げミラー１４にて反射されて第１対物レンズ１１に入射されることになる。このようにして第１対物レンズ１１に入射された第１レーザー光は、該第１対物レンズ１１の集光動作によって第１光ディスクＤ１に設けられている信号記録層Ｌ１に集光されることになる。
【００２４】
また、コリメートレンズ１０を透過した第２レーザー光は、前記波長選択性素子１３にて反射されて第２対物レンズ１２に入射されることになる。このようにして第２対物レンズ１２に入射された第２レーザー光は、該第２対物レンズ１２の集光動作によって第２光ディスクＤ２に設けられている信号記録層Ｌ２に集光されることになる。そして、コリメートレンズ１０を透過した第３レーザー光は、前記波長選択性素子１３にて反射されて第２対物レンズ１２に入射されることになる。このようにして第２対物レンズ１２に入射された第３レーザー光は、該第２対物レンズ１２の集光動作によって第３光ディスクＤ３に
設けられている信号記録層Ｌ３に集光されることになる。
【００２５】
斯かる構成において、レーザーダイオード１から放射された第１レーザー光は、第１回折格子２、ハーフミラー６、偏光ビームスプリッタ７、１／４波長板９、コリメートレンズ１０、波長選択性素子１３及び立ち上げミラー１４を介して第１対物レンズ１１に入射された後、該第１対物レンズ１１の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２６】
また、２波長レーザーダイオード３の第１レーザー素子から放射された第２レーザー光は、第２回折格子４、ダイバージェンスレンズ５、偏光ビームスプリッタ７、１／４波長板９、コリメートレンズ１０及び波長選択性素子１３を介して第２対物レンズ１２に入射された後、該第２対物レンズ１２の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２７】
そして、２波長レーザーダイオード３の第２レーザー素子から放射された第３レーザー光は、第２回折格子４、ダイバージェンスレンズ５、偏光ビームスプリッタ７、１／４波長板９、コリメートレンズ１０及び波長選択性素子１３を介して第２対物レンズ１２に入射された後、該第２対物レンズ１２の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００２８】
第１光ディスクＤ１の信号記録層Ｌ１から反射された第１レーザー光の戻り光は、第１対物レンズ１１、立ち上げミラー１４、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第１レーザー光の戻り光は前記ハーフミラー６にて反射されることはなく、制御用レーザー光として該ハーフミラー６を透過することになる。
【００２９】
また、第２光ディスクＤ２の信号記録層Ｌ２から反射された第２レーザー光の戻り光は、第２対物レンズ１２、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第２レーザー光の戻り光は前記ハーフミラー６にて反射されることはなく、制御用レーザー光として該ハーフミラー６を透過することになる。
【００３０】
そして、第３光ディスクＤ３の信号記録層Ｌ３から反射された第３レーザー光の戻り光は、第２対物レンズ１２、波長選択性素子１３、コリメートレンズ１０、１／４波長板９及び偏光ビームスプリッタ７を通してハーフミラー６に入射される。このようにしてハーフミラー６に入射される戻り光は、前記１／４波長板９による位相変更動作によってＰ方向の直線偏光光に変更されている。従って、斯かる第３レーザー光の戻り光は前記ハーフミラー６にて反射されることはなく、制御用レーザー光として該ハーフミラー６を透過することになる。
【００３１】
１５は前記ハーフミラー６を透過した制御用レーザー光が入射されるＡＳ板であり、該ハーフミラー６にて生成される非点収差の大きさをフォーカスエラー信号を生成するために適した大きさになるように拡大する作用を成すとともに該ハーフミラー６にて発生する
コマ収差を補正する作用を成すものである。１６は前記ＡＳ板１５を通して制御用レーザー光が照射される光検出器１４であり、周知の４分割センサー等が設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３２】
前述したようにレーザーダイオード１から放射される第１レーザー光の第１光ディスクＤ１の信号記録層Ｌ１までの往路、２波長レーザーダイオード３から放射される第２レーザー光の第２光ディスクＤ２の信号記録層Ｌ２までの往路及び２波長レーザーダイオード３から放射される第３レーザー光の第３光ディスクＤ３の信号記録層Ｌ３までの往路について比較すると、偏光ビームスプリッタ７から波長選択性素子１３までの光路を兼用していることがわかる。
【００３３】
そして、第１光ディスクＤ１の信号記録層Ｌ１から反射される第１レーザー光の戻り光の光検出器１６までの復路、第２光ディスクＤ２の信号記録層Ｌ２から反射される第２レーザー光の戻り光の光検出器１６までの復路及び第３光ディスクＤ３の信号記録層Ｌ３から反射される第３レーザー光の戻り光の光検出器１６までの復路につて比較すると、波長選択性素子１３から光検出器１６までの光路を兼用していることがわかる。
【００３４】
図３に示した従来の光ピックアップ装置は、レーザー光を光ディスクの信号記録層に導く往路及び光ディスクの信号記録層から反射される戻り光を光検出器１６に導く復路を兼用しているので、光学部品の数を減らすことが出来、その結果、製造価格を下げることが出来るだけでなく光ピックアップ装置を小型化することが出来るという利点を有している。
【００３５】
斯かる構成の光ピックアップ装置において、往路の光学倍率と復路の光学倍率とが大きく異なると光検出器１６に組み込まれている４分割センサー等の受光部と戻り光のスポットの位置ずれが発生しやすいという問題がある。斯かる問題を解決する方法として前述した従来例では２波長レーザーダイオード３から放射される第２レーザー光及び第３レーザー光の往路内にダイバージェンスレンズ５を設けている。即ち、斯かるダイバージェンスレンズ５によって光学倍率を調整することによってスポットの位置ずれの発生を抑えることが出来るもののダイバージェンスレンズ５の固定調整を精度良く行なう必要があるので、作業性が悪いという問題がある。
【００３６】
本発明は、斯かる問題を解決することが出来る光ピックアップ装置を提供しようとするものである。
【課題を解決するための手段】
【００３７】
本発明は、光ディスクの表面から信号記録層までの距離が短い第１光ディスクに記録されている信号の読み出し動作を行う第１波長のレーザー光を放射するレーザーダイオード、光ディスクの表面から信号記録層までの距離が前記第１光ディスクより長い第２光ディスクに記録されている信号の読み出し動作を行う第２波長のレーザー光及び光ディスクの表面から信号記録層までの距離が前記第２光ディスクより長い第３光ディスクに記録されている信号の読み出し動作を行う第３波長のレーザー光の２つのレーザー光を放射する２波長レーザーダイオードが組み込まれた光ピックアップ装置において、前記レーザーダイオードから放射される第１レーザー光を対物レンズ方向へ導くとともに前記第１光ディスクの信号記録層、第２光ディスクの信号記録層及び第３光ディスクの信号記録層から反射される第１レーザー光、第２レーザー光及び第３レーザー光を光検出器方向へ導く第１偏
光部材と、該第１偏光部材と対物レンズとの間に設けられているとともに前記２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記第１偏光部材方向へ導く第２偏光部材と、該第２偏光部材と対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、前記第２偏光部材と対物レンズとの間に設けられているとともにレーザー光の透過角度を調整変更する第１パワーレンズと、前記第１偏光部材と第２偏光部材との間に設けられているとともにレーザー光の透過角度を調整変更する第２パワーレンズとより成り、第１レーザー光を第１光ディスクに導く往路の光学倍率及び該第１光ディスクから反射される戻り光を光検出器に導く復路の光学倍率を前記第１パワーレンズ及び第２パワーレンズにて設定し、第２レーザー光及び第３レーザー光を第２光ディスク及び第３光ディスクに導く往路の光学倍率を前記第１パワーレンズにて設定するとともに第２光ディスク及び第３光ディスクから反射される戻り光を光検出器に導く復路の光学倍率を第１パワーレンズ及び第２パワーレンズにて設定するようにしたことを特徴とするものである。
【発明の効果】
【００３８】
本発明は、波長が異なる第１、第２及び第３レーザー光によって規格の異なる第１、第２及び第３光ディスクに設けられている信号記録層に集光させることによって各信号記録層に記録されている信号の読み出し動作を行うように構成された光ピックアップ装置において、第１レーザー光を第１光ディスクに導く往路の光学倍率及び該第１光ディスクから反射される戻り光を光検出器に導く復路の光学倍率を第１パワーレンズ及び第２パワーレンズにて設定し、第２レーザー光及び第３レーザー光を第２光ディスク及び第３光ディスクに導く往路の光学倍率を第１パワーレンズにて設定するとともに第２光ディスク及び第３光ディスクから反射される戻り光を光検出器に導く復路の光学倍率を第１パワーレンズ及び第２パワーレンズにて設定するようにしたので、即ち各レーザー光に適した往路及び復路の光学倍率を設定することが出来るので、光検出器のポジションずれを抑えることが出来るという利点を有している。
【図面の簡単な説明】
【００３９】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４０】
単一のレーザー光を生成するレーザーダイオード及び異なる波長の２つのレーザー光を生成する２波長レーザーダイオードから放射されるレーザー光を利用して異なる規格の光ディスクに設けられている信号記録層に記録されている信号の読み出し動作を行うように構成された光ピックアップ装置に関するものである。
【実施例１】
【００４１】
図１は本発明の光ピックアップ装置の一実施例であり、図３に示した光ピックアップ装置と同一の作用を成す部品には同一の符号を付している。
【００４２】
本発明の光ピックアップ装置は、図示したように１／４波長板９と対物レンズ１１、１２との間にレーザー光の透過角度を調整変更する第１パワーレンズ１７を配置するとともにハーフミラー６と偏光ビームスプリッタ７との間にレーザー光の透過角度を調整変更する第２パワーレンズ１８を配置させたことを特徴とするものである。
【００４３】
斯かる構成において、第１パワーレンズ１７は正のパワー特性を有し、第２パワーレンズ１８は負のパワー特性を有するように設定される。斯かる構成によれば、レーザーダイオード１から生成放射される第１レーザー光は、第１回折格子２、ハーフミラー６、第２パワーレンズ１８、偏光ビームスプリッタ７、１／４波長板９、第１パワーレンズ１７、波長選択性素子１３、立ち上げミラー１４を介して第１対物レンズ１１に導かれ、該第１対物レンズ１１の集光動作によって第１光ディスクＤ１の信号記録層Ｌ１に集光される。
【００４４】
また、前記第１光ディスクＤ１の信号記録層Ｌ１から反射される第１レーザー光の戻り光は、第１対物レンズ１１、立ち上げミラー１４、波長選択性素子１３、第１パワーレンズ１７、１／４波長板９、偏光ビームスプリッタ７、第２パワーレンズ１８、ハーフミラー６及びＡＳ板１５を介して光検出器１６に照射される。
【００４５】
前述したようにレーザーダイオード１から放射される第１レーザー光の往路には、第２パワーレンズ１８及び第１パワーレンズ１７が挿入され、第１レーザー光の戻り光である復路には、第１パワーレンズ１７及び第２パワーレンズ１８が挿入される。即ち、第１光ディスクＤ１の信号記録層Ｌ１に記録されている信号の読み出し動作を行う第１レーザー光の光学系は、往路と復路のレンズ構成を同じにしているので往路の光学倍率と復路の光学倍率とを等しくなり、光検出器の位置ずれを防止することが出来る。
【００４６】
次に、２波長レーザーダイオード３から生成放射される第２レーザー光は、第２回折格子４、偏光ビームスプリッタ７、１／４波長板９、第１パワーレンズ１７、波長選択性素子１３を介して第２対物レンズ１２に導かれ、該第２対物レンズ１２の集光動作によって第２光ディスクＤ２の信号記録層Ｌ２に集光される。
【００４７】
また、前記第２光ディスクＤ２の信号記録層Ｌ２から反射される第２レーザー光の戻り光は、第２対物レンズ１２、波長選択性素子１３、第１パワーレンズ１７、１／４波長板９、偏光ビームスプリッタ７、第２パワーレンズ１８、ハーフミラー６及びＡＳ板１５を介して光検出器１６に照射される。
【００４８】
そして、２波長レーザーダイオード３から生成放射される第３レーザー光は、第２回折格子４、偏光ビームスプリッタ７、１／４波長板９、第１パワーレンズ１７、波長選択性素子１３を介して第２対物レンズ１２に導かれ、該第２対物レンズ１２の集光動作によって第３光ディスクＤ３の信号記録層Ｌ３に集光される。
【００４９】
また、前記第３光ディスクＤ３の信号記録層Ｌ３から反射される第３レーザー光の戻り光は、第２対物レンズ１２、波長選択性素子１３、第１パワーレンズ１７、１／４波長板９、偏光ビームスプリッタ７、第２パワーレンズ１８、ハーフミラー６及びＡＳ板１５を介して光検出器１６に照射される。
【００５０】
前述したように２波長レーザーダイオード３から放射される第２レーザー光及び第３レーザー光の往路には、第１パワーレンズ１７が挿入され、第２レーザー光及び第３レーザー光の戻り光である復路には、第１パワーレンズ１７及び第２パワーレンズ１８が挿入される。即ち、第２光ディスクＤ２の信号記録層Ｌ２及び第３光ディスクＤ３の信号記録層Ｌ３に記録されている信号の読み出し動作を行う第２レーザー光及び第３レーザー光の光学系は、往路と復路のレンズ構成を相違させているので、特に第２パワーレンズ１８として負のパワー特性のレンズを使用するようにすることによって従来の往路と復路の光学倍率の比を小さくすることが出来るので光検出器の位置ずれを抑える値に設定することが出来る。
【００５１】
また、斯かる構成によれば、第２光ディスクＤ２の信号記録層Ｌ２に記録されている信
号の読み出し動作、第３光ディスクＤ３の信号記録層Ｌ２に記録されている信号の読み出し動作を行う光学系の往路には１つのパワーレンズを挿入するようにしたので、即ち従来の光学系と同様の光学系にしたので、第２光ディスクＤ２及び第３光ディスクＤ３に信号を記録させる場合のようにレーザー出力を大きくする必要がある場合にレーザー出力が不足することがないようにすることが出来る。
【００５２】
尚、本実施例では、第１偏光部材としてハーフミラー６を使用し、第２偏光部材として偏光ビームスプリッタ７を使用するようにしたが、第１偏光部材として偏光ビームスプリッタを使用することも出来る。
【産業上の利用可能性】
【００５３】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【符号の説明】
【００５４】
１      レーザーダイオード
３      ２波長レーザーダイオード
６      ハーフミラー
７      偏光ビームスプリッタ
９      １／４波長板
１１    第１対物レンズ
１２    第２対物レンズ
１６    光検出器
１７    第１パワーレンズ
１８    第２パワーレンズ
【図１】
2012048786.tif 000003
【図２】
2012048786.tif 000004
【図３】
2012048786.tif 000005